(57)【要約】【課題】風向きを偏向させる。【解決手段】環境試験装置１は、上部孔３ａ及び下部孔３ｂが形成され、筐体２を仕切る仕切り壁３と、仕切り壁３によって分離され且つ上部孔３ａ及び下部孔３ｂを介して互いに連通した試験室５及び空調室８と、仕切り壁３に取り付けられたダクトユニット１０とを含んでいる。ダクトユニット１０は、板状部材１１と、板状部材１１の水平方向の一端部に形成された複数の孔２１と、板状部材１１の水平方向の他端部に形成された複数の孔２２と、一方の面１１ａから突出し板状部材１１を２つの領域１４ａ，１４ｂに区切る仕切り板１５とを有している。そして、ダクトユニット１０は、上部孔３ａと領域１４ａとが、下部孔３ｂと領域１４ｂとが対向するように仕切り壁３に取り付けられている。【選択図】図２
2011145187.tif 000002
【特許請求の範囲】
【請求項１】
仕切り壁によって分離され且つ当該仕切り壁に形成された上部孔及び下部孔を介して互いに連通した試験室及び空調室を有する環境試験装置に取り付け可能なダクトユニットにおいて、
板状部材と、
前記板状部材の水平方向の一端部に形成された第１貫通孔と、
前記板状部材の前記水平方向の他端部に形成された第２貫通孔と、
前記板状部材の一方の面から突出し、前記板状部材を前記第１貫通孔が形成された第１領域と前記第２貫通孔が形成された第２領域とに区切る仕切り板とを備えていることを特徴とするダクトユニット。
【請求項２】
前記板状部材が矩形平面形状を有しており、
前記仕切り板が、前記板状部材の対角にある２つの角を結ぶように傾斜していることを特徴とする請求項１に記載のダクトユニット。
【請求項３】
前記板状部材の前記第２領域には、前記第２貫通孔近傍から延在した偏向板が突出していることを特徴とする請求項１又は２に記載のダクトユニット。
【請求項４】
前記仕切り板は、前記第１領域よりも前記第２領域が大きくなるように湾曲していることを特徴とする請求項１〜３のいずれか１項に記載のダクトユニット。
【請求項５】
前記板状部材には、厚み方向に貫通した複数の孔が形成された整流板が前記第１貫通孔の少なくとも上部分を覆うように設けられていることを特徴とする請求項１〜４のいずれか１項に記載のダクトユニット。
【請求項６】
筐体と、
上部孔及び下部孔が形成され、前記筐体内の空間を仕切る仕切り壁と、
前記仕切り壁によって分離され且つ前記上部孔及び下部孔を介して互いに連通した試験室及び空調室と、
請求項１〜５のいずれか１項に記載のダクトユニットとを備えており、
前記ダクトユニットは、前記上部孔及び下部孔のいずれか一方の孔と前記第１領域とが、他方の孔と前記第２領域とが対向するように、前記筐体及び前記仕切り壁の少なくともいずれかに取り付けられていることを特徴とする環境試験装置。
【請求項７】
前記空調室及び前記ダクトユニットの幅が、前記筐体の幅よりも小さく、
前記試験室は、前記ダクトユニットの前記空調室側とは反対側に配置された第１室と、前記第１室と繋がり、前記空調室及び前記ダクトユニットと幅方向に関して隣接し前記第１室よりも幅が小さい第２室とを有しており、
前記第１室との間において前記第２室を挟む前記筐体の壁には、前記第２室と外部とを連通させる少なくとも１以上の孔が形成されていることを特徴とする請求項６に記載の環境試験装置。
【発明の詳細な説明】
【技術分野】
【０００１】
本発明は、環境試験装置の試験室内において空気の循環方向を偏向するダクトユニット及びこれを有する環境試験装置に関する。
【背景技術】
【０００２】
様々な環境状況下における製品の動作信頼性を確認するための環境試験において、例えば特許文献１に示されているような、仕切り壁によって分離され且つ上下２箇所の開口を介して互いに連通した試験室及び空調室を有する環境試験装置が用いられる。当該環境試験装置では、空調室内において加湿装置、冷却装置等によって空気を所定の温湿度に調整し、当該調整された空気を空調室の最上方に設けられた送風機を介して上部開口から試験室へと供給することにより、試験室内の空気を所定の温湿度に保持する。
【先行技術文献】
【特許文献】
【０００３】
【特許文献１】特開２００２−３４９９１４号公報
【発明の概要】
【発明が解決しようとする課題】
【０００４】
しかしながら、上記特許文献１に係る環境試験装置において、単に上部開口を介して試験室に流入した空気は、試験室内において上から下に流れる気流となり、下部開口から吸引される。そのため、例えば、試験室に水平な棚を上下に複数段設けて、各棚上に試料を載置した場合、棚の下段に載置した試料には空気流が当たりにくくなり、棚の上段にある試料と、棚の下段にある試料とで条件が異なってしまう。さらに、試料には様々な形状や種類があり、それぞれの試料に最適な環境付与方法がある。このうち、試料に対する空気流の当て方は非常に重要な要素であるが、上記特許文献１に係る環境試験装置においては試験室内の空気の循環方向が決まっているため、試料に対する最適な風向きと空気の循環方向とが合うように試料の置き方を考慮して試験室に載置する必要がある。しかし、試料によってはその置き方を変えることができないものもあるため、この場合は風向きが最適でない状態で環境試験を行うしかないという問題が生じる。
【０００５】
そこで、本発明の目的は、風向きを偏向させるダクトユニット及びこれを有する環境試験装置を提供することである。
【課題を解決するための手段】
【０００６】
本発明のダクトユニットは、仕切り壁によって分離され且つ当該仕切り壁に形成された上部孔及び下部孔を介して互いに連通した試験室及び空調室を有する環境試験装置に取り付け可能なダクトユニットにおいて、板状部材と、前記板状部材の水平方向の一端部に形成された第１貫通孔と、前記板状部材の前記水平方向の他端部に形成された第２貫通孔と、前記板状部材の一方の面から突出し、前記板状部材を前記第１貫通孔が形成された第１領域と前記第２貫通孔が形成された第２領域とに区切る仕切り板とを備えている。
【０００７】
これによると、例えば、空気を吹き出す上部孔（又は下部孔）と第１領域とを、空気を吸引する下部孔（又は上部孔）と第２領域とを対向させつつダクトユニットを環境試験装置に取り付けたときに、上部孔（又は下部孔）から吹き出された空気が仕切り壁と第１領域との間の第１空間内で均圧化され、当該均圧化された空気が第１貫通孔から試験室内に排出される。このとき、試験室内の空気が第２貫通孔から仕切り壁と第２領域との間の第２空間を通して下部孔（又は上部孔）に吸い込まれるとともに、試験室内には第１貫通孔から第２貫通孔に向かう水平方向の気流が生じる。こうして、試験室内において上下方向に生じる気流を水平方向に偏向することが可能になり、試験室に載置された試料に対する風向きが最適な状態で環境試験を行わせることが可能になる。
【０００８】
本発明において、前記板状部材が矩形平面形状を有しており、前記仕切り板が、前記板状部材の対角にある２つの角を結ぶように傾斜していることが好ましい。これにより、水平方向に関して、第１領域と仕切り壁との間の第１空間、及び、第２領域と仕切り壁との間の第２空間の上部及び下部のいずれか一方を大きくすることが可能となる。このため、第１空間が上部孔（又は下部孔）、第２空間が下部孔（又は上部孔）の全体を覆いやすくなる。また、第１空間の水平方向の幅が上から下（又は下から上）に向かって狭まるため、鉛直方向に関して、第１貫通孔から吹き出す風圧が均等になり易くなる。
【０００９】
また、本発明において、前記板状部材の前記第２領域には、前記第２貫通孔近傍から延在した偏向板が突出していることが好ましい。これにより、空気を吹き出す上部孔（又は下部孔）と第１空間（第１領域と仕切り壁との間）とが、空気を吸引する下部孔（又は上部孔）と第２空間（第２領域と仕切り壁との間）とが連通するようにダクトユニットが環境試験装置に取り付けられたときに、第２貫通孔から試験室内の空気を効果的に吸引することが可能となる。
【００１０】
また、本発明において、前記仕切り板は、前記第１領域よりも前記第２領域が大きくなるように湾曲していることが好ましい。これにより、空気を吹き出す上部孔（又は下部孔）と第１空間（第１領域と仕切り壁との間）とが、空気を吸引する下部孔（又は上部孔）と第２空間（第２領域と仕切り壁との間）とが連通するようにダクトユニットが環境試験装置に取り付けられたときに、第１空間の水平方向の幅が上から下（又は下から上）に向かってさらに狭まるため、鉛直方向に関して、第１貫通孔から吹き出す風圧がより一層均等になり易くなる。
【００１１】
また、本発明において、前記板状部材には、厚み方向に貫通した複数の孔が形成された整流板が前記第１貫通孔の少なくとも上部分を覆うように設けられていることが好ましい。これにより、空気を吹き出す上部孔と第１空間（第１領域と仕切り壁との間）とが、空気を吸引する下部孔と第２空間（第２領域と仕切り壁との間）とが連通するようにダクトユニットが環境試験装置に取り付けられたときに、第１貫通孔の上部分の抵抗が大きくなり、鉛直方向に関して、第１貫通孔から吹き出す風圧がより一層均等になるよう調整することができる。
【００１２】
本発明の環境試験装置は、筐体と、上部孔及び下部孔が形成され、前記筐体内の空間を仕切る仕切り壁と、前記仕切り壁によって分離され且つ前記上部孔及び下部孔を介して互いに連通した試験室及び空調室と、請求項１〜５のいずれか１項に記載のダクトユニットとを備えている。そして、前記ダクトユニットは、前記上部孔及び下部孔のいずれか一方の孔と前記第１領域とが、他方の孔と前記第２領域とが対向するように、前記筐体及び前記仕切り壁の少なくともいずれかに取り付けられている。
【００１３】
これによると、例えば、上部孔（又は下部孔）から吹き出された空気が仕切り壁と第１領域との間の第１空間内で均圧化され、当該均圧化された空気が第１貫通孔から試験室内に排出される。このとき、試験室内の空気が第２貫通孔から仕切り壁と第２領域との間の第２空間を通して下部孔（又は上部孔）に吸い込まれるとともに、試験室内には第１貫通孔から第２貫通孔に向かう水平方向の気流が生じる。こうして、試験室内において上下方向に生じる気流を水平方向に偏向することが可能になり、試験室に載置された試料に対する風向きが最適な状態で環境試験を行わせることが可能になる。
【００１４】
本発明において、前記空調室及び前記ダクトユニットの幅が、前記筐体の幅よりも小さく、前記試験室は、前記ダクトユニットの前記空調室側とは反対側に配置された第１室と、前記第１室と繋がり、前記空調室及び前記ダクトユニットと幅方向に関して隣接し前記第１室よりも幅が小さい第２室とを有しており、前記第１室との間において前記第２室を挟む前記筐体の壁には、前記第２室と外部とを連通させる少なくとも１以上の孔が形成されていることが好ましい。これにより、外部からケーブルなどを試験室内に通すことが可能となる。
【発明の効果】
【００１５】
本発明のダクトユニットによると、例えば、空気を吹き出す上部孔（又は下部孔）と第１領域とを、空気を吸引する下部孔（又は上部孔）と第２領域とを対向させつつダクトユニットを環境試験装置に取り付けたときに、上部孔（又は下部孔）から吹き出された空気が仕切り壁と第１領域との間の第１空間内で均圧化され、当該均圧化された空気が第１貫通孔から試験室内に排出される。このとき、試験室内の空気が第２貫通孔から仕切り壁と第２領域との間の第２空間を通して下部孔（又は上部孔）に吸い込まれるとともに、試験室内には第１貫通孔から第２貫通孔に向かう水平方向の気流が生じる。こうして、試験室内において上下方向に生じる気流を水平方向に偏向することが可能になり、試験室に載置された試料に対する風向きが最適な状態で環境試験を行わせることが可能になる。
また、本発明の環境試験装置によると、例えば、上部孔（又は下部孔）から吹き出された空気が仕切り壁と第１領域との間の第１空間内で均圧化され、当該均圧化された空気が第１貫通孔から試験室内に排出される。このとき、試験室内の空気が第２貫通孔から仕切り壁と第２領域との間の第２空間を通して下部孔（又は上部孔）に吸い込まれるとともに、試験室内には第１貫通孔から第２貫通孔に向かう水平方向の気流が生じる。こうして、試験室内において上下方向に生じる気流を水平方向に偏向することが可能になり、試験室に載置された試料に対する風向きが最適な状態で環境試験を行わせることが可能になる。
【図面の簡単な説明】
【００１６】
【図１】本発明の一実施形態による環境試験装置の平面図である。
【図２】（ａ）は図１に示すIIA−IIA線に沿った断面図であり、（ｂ）は図１に示すIIB−IIB線に沿った断面図である。
【図３】（ａ）は図１に示すダクトユニットの正面図であり、（ｂ）は図３（ａ）に示すIII−III線に沿った断面図である。
【図４】本発明の一実施形態によるダクトユニットの一変形例を示す正面図である。
【図５】本発明の一実施形態によるダクトユニットの他の変形例を示す正面図である。
【発明を実施するための形態】
【００１７】
以下、本発明の好適な実施の形態について、図面を参照しつつ説明する。
【００１８】
本発明の一実施形態における環境試験装置１は、図１及び図２に示すように、種々の環境試験において用いられるものであって、内部に空間２ａを有する略直方体形状の筐体２と、筐体２内の空間２ａを仕切る断面Ｌ字状の仕切り壁３と、仕切り壁３によって分離され且つ仕切り壁３に形成された上部孔３ａ及び下部孔３ｂを介して互いに連通した試験室５及び空調室８と、試験室５に配置されたダクトユニット１０とを含んでいる。ダクトユニット１０は、上部孔３ａ及び下部孔３ｂを覆いつつ、後述の環状突起１２と仕切り壁３とを接触させて仕切り壁３にネジ止めされている。上部孔３ａは、仕切り壁３のダクトユニット１０と対向する部分であってその上部に形成されている。一方、下部孔３ｂは、仕切り壁３のダクトユニット１０と対向する部分であってその下部に形成されている。これら上部孔３ａ及び下部孔３ｂは、図２（ｂ）に示すように、水平方向であって図中左右方向に延在している。
【００１９】
空調室８は、図１中左右方向に関して、筐体２の幅よりも小さい幅を有している。ダクトユニット１０は、図１中左右方向に関して、空調室８とほぼ同じ幅を有している。試験室５は、所定の温度及び湿度の空気を内包し、環境試験に係る試料が配置される空間である。また、試験室５は、主に試料が配置される部屋であってダクトユニット１０の空調室８側とは反対側に配置されたメイン室（第１室）５ａと、メイン室５ａに繋がったサブ室（第２室）５ｂとを有している。サブ室５ｂは、図１に示すように、空調室８及びダクトユニット１０と幅方向（図１中左右方向）に関して隣接して配置されており、当該幅方向に関して、メイン室５ａよりも幅が小さくなっている。
【００２０】
空調室８内には、図２（ａ）に示すように、上方から順に、送風機３１、例えばシーズヒータ等の電熱ヒータからなる空気ヒータ３２、冷却装置３３、及び、容器内の水を内蔵ヒータで加熱して加湿を行う加湿装置３４が設けられている。下部孔３ｂから空調室８に流入した空気は、順次、加湿装置３４、冷却装置３３、及び空気ヒータ３２によってその温度及び湿度を調整されつつ上昇し、所定の温度及び湿度となった状態で送風機３１により上部孔３ａ及びダクトユニット１０を介して再び試験室５に流入する。
【００２１】
筐体２の空間２ａを取り囲む６つの壁のうち、メイン室５ａとの間においてサブ室５ｂを挟む壁には、図２（ｂ）に示すように、６つの孔２ｂが形成されている。これら孔２ｂは鉛直方向に沿って配列されており、サブ室５ｂと外部とを連通させている。なお、孔２ｂには、図示しないシール手段が設けられ、孔２ｂにケーブルが通されても外気が試験室５内に侵入するのを防止する。このように孔２ｂが設けられていることで、例えば、試験室５内に載置された試料に電力を供給するためのケーブルなどを、外部から試験室５内に通すことが可能となる。
【００２２】
また、筐体２の６つの壁のうち、ダクトユニット１０との間においてメイン室５ａを挟む壁は、試験室５の扉を構成し、開閉可能となっている。このような環境試験装置１を扉が同じ方向となるように複数台並べ、さらにこれらの上に環境試験装置１を積んでも、扉とは反対となる壁に孔２ｂが形成されていることで、孔２ｂに通したケーブルが隣接する環境試験装置１と干渉しなくなる。このため、多くの環境試験装置１を並べて配置することが可能となる。
【００２３】
ダクトユニット１０は、図３に示すように、板状部材１１と、板状部材１１の一方の面１１ａにおいて全周に亘って形成された環状突起１２と、一方の面１１ａから突出し板状部材１１を２つの領域１４ａ，１４ｂに区切る仕切り板１５とを有している。板状部材１１には、水平方向の一端部において、鉛直方向に沿って配列された６つの貫通孔（第１貫通孔）２１が形成されている。また、板状部材１１の水平方向の他端部において、鉛直方向に沿って配列された６つの貫通孔（第２貫通孔）２２が形成されている。これら貫通孔２１，２２は、鉛直方向に沿って長尺に形成されている。なお、貫通孔２１，２２は、鉛直方向に沿って複数配列されているが、板状部材１１の各端部において、６つの貫通孔２１，２２が鉛直方向に連続した１つの長尺な貫通孔を構成していてもよい。また、貫通孔２１，２２は、鉛直方向に長尺に形成されていなくてもよく、他の形状を有していてもよい。
【００２４】
仕切り板１５は、貫通孔２１が形成された領域（第１領域）１４ａと、貫通孔２２が形成された領域（第２領域）１４ｂとに板状部材１１を区切るように形成されている。また、仕切り板１５は、図３（ａ）に示すように、板状部材１１の対角にある２つの角（図中右斜め上の角と左斜め下の角）を結ぶように傾斜しており、環状突起１２によって取り囲まれた空間であって貫通孔２１と連通する第１空間１３ａと、貫通孔２２と連通する第２空間１３ｂとに仕切っている。第１空間１３ａは、ダクトユニット１０が仕切り壁３に取り付けられたときに領域１４ａと仕切り壁３との間にできる空間である。第２空間１３ｂは、ダクトユニット１０が仕切り壁３に取り付けられたときに領域１４ｂと仕切り壁３との間にできる空間である。また、仕切り板１５は、板状部材１１の対角線上に沿って延在している。このように仕切り板１５が形成されていることで、水平方向に関して、第１空間１３ａの上部及び第２空間１３ｂの下部を大きくすることが可能となる。このため、ダクトユニット１０を仕切り壁３に取り付けた際に、第１空間１３ａが上部孔３ａ、第２空間１３ｂが下部孔３ｂの全体を覆いやすくなるとともに均圧がとり易くなる。本実施形態においては、第１空間１３ａが上部孔３ａ、第２空間１３ｂが下部孔３ｂの全体を覆った状態で、ダクトユニット１０が仕切り壁３に取り付けられている。
【００２５】
板状部材１１は、一方の面１１ａから突出した５枚の偏向板１６ａ〜１６ｅを有している。偏向板１６ａ〜１６ｅは、板状部材１１の領域１４ｂに形成されている。また、偏向板１６ａ〜１６ｅは、貫通孔２２の上部角近傍から、ダクトユニット１０が仕切り壁３に固定されたときに板状部材１１の下部孔３ｂと対向する位置まで仕切り板１５と平行に延在している。このように偏向板１６ａ〜１６ｅを有していることで、上部孔３ａと第１空間１３ａとが、下部孔３ｂと第２空間１３ｂとが連通するようにダクトユニット１０が仕切り壁３に取り付けられたときに、各貫通孔２２から試験室５内の空気を均一に吸引することが可能となる。つまり、これら偏向板１６ａ〜１６ｅが設けられていない場合では、下方にある貫通孔２２から試験室５内の空気が主に吸引されてしまうが、偏向板１６ａ〜１６ｅが設けられていることで、下部孔３ｂからの吸引力が上方の貫通孔２２にも効果的に作用する。このため、これら貫通孔２２からの吸引力が均一になり、貫通孔２１から排出された空気が水平方向の気流を生じさせやすくなる。
【００２６】
続いて、環境試験装置１の試験室５における気流について説明する。本実施形態における環境試験装置１には、ダクトユニット１０が取り付けられているので、所定の温度及び湿度となった空気が空調室８の上部孔３ａから排出されると、第１空間１３ａに一時的に溜められる。そして、上部孔３ａから排出された空気が第１空間１３ａで均圧化されて６つの孔２１からメイン室５ａに排出される。この排出された空気は、図１中太矢印で示すように、孔２１から孔２２に向かって水平に流れる。具体的には、最も上に配置された孔２１から排出された空気は、最も上に配置された孔２２から主に吸い込まれる。このように孔２１から排出された空気は、当該孔２１に水平方向に沿って並ぶ対応する孔２２に吸い込まれ、メイン室５ａ内に水平方向の気流を生じさせる。つまり、ダクトユニット１０が設けられていない場合では、上部孔３ａから排出された空気は、試験室５内において上から下に向かって流れる気流を生じるが、本発明においてはダクトユニット１０が試験室５内における気流が水平となるように偏向させる。そして、試験室５内の空気は、孔２２、第２空間１３ｂ及び下部孔３ｂを通して空調室８に吸引される。
【００２７】
以上のように、本実施形態のダクトユニット１０によると、空気を吹き出す上部孔３ａと領域１４ａとが、空気を吸い込む下部孔３ｂと領域１４ｂとが対向するようにダクトユニット１０が仕切り壁３に取り付けられたときに、上部孔３ａから吹き出された空気が第１空間１３ａ内で均圧化され、当該均圧化された空気が６つの孔２１からメイン室５ａ内に排出される。このとき、メイン室５ａ内の空気が孔２２から第２空間１３ｂを通して下部孔３ｂに吸い込まれるとともに、メイン室５ａ内には孔２１から孔２２に向かう水平方向の気流が生じる。こうして、試験室５内において上下方向に生じる気流を水平方向に偏向することが可能となり、試験室５に載置された試料に対する風向きが最適な状態で環境試験を行わせることが可能になる。つまり、メイン室５ａにおいて、例えば、水平な棚を上下に複数段設けて、各棚上に試料を載置してもメイン室５ａ内の気流が水平方向の気流なので各棚上の試料に空気流を当てることが可能となり、最適な状態で環境試験を行わせることができる。
【００２８】
本実施形態においては、上部孔３ａから空気を吹き出し下部孔３ｂから試験室５内の空気を吸い込んでいるが、これらが逆であってもよい。つまり、下部孔から空気を吹き出し、上部孔から試験室内の空気を吸い込んでもよい。この場合には、ダクトユニット１０を１８０度回転させ、上下を逆にすればよい。具体的には、領域１４ａと下部孔とを対向させ第１空間１３ａと下部孔とを連通させ、領域１４ｂと上部孔とを対向させ第２空間１３ｂと上部孔とを連通させればよい。こうしても下から上に流れる気流を、上述と同様に水平方向に流れる気流に偏向することが可能となる。
【００２９】
本実施形態においては、仕切り板１５が直線上に延在していたが、仕切り板は図４に示すように湾曲していてもよい。この第１変形例におけるダクトユニット２１０は、仕切り板２１５の形状が上述の仕切り板１５と異なるだけで、これ以外はダクトユニット１０と同様の構成を有している。仕切り板２１５は、板状部材１１の対角にある２つの角近傍を結ぶように傾斜している。また、仕切り板２１５は、領域（第１領域）２１４ａよりも領域（第２領域）２１４ｂが大きくなるように湾曲している。これにより、空気を吹き出す上部孔３ａと領域２１４ａとが、空気を吸引する下部孔３ｂと領域２１４ｂとが対向するようにダクトユニット２１０が仕切り壁３に取り付けられたときに、仕切り壁３と領域２１４ａとの間の第１空間２１３ａの水平方向の幅が上から下に向かってさらに狭まるため、鉛直方向に関して、６つの孔２１から吹き出す風圧がより一層均等になる。これは、上部孔３ａから吹き出した空気が、上部孔３ａから最も離れた孔２１から優先的に排出されにくくして、各孔２１から吹き出す風圧を均圧化させている。なお、仕切り壁３と領域２１４ｂとの間の第２空間２１３ｂは、下から上に向かってさらに広がっている。
【００３０】
別の変形例として、板状部材１１には、ダクトユニット３１０が仕切り壁３に取り付けられたときに上部孔３ａと距離の近い孔２１から順に、開口率が大きくなる整流板３３１，３３２が設けられていてもよい。つまり、本変形例におけるダクトユニット３１０は、図５に示すように、厚み方向に貫通した複数の孔３３１ａが形成された整流板３３１が最も上方にある孔２１を覆うように設けられており、複数の孔３３２ａが形成された整流板３３２が上から２番目の孔２１を覆うように設けられている。これら整流板３３１，３３２はいずれも、孔２１の開口率よりも小さい開口率を有しており、整流板３３２は整流板３３１よりも開口率が大きくなっている。このような整流板３３１，３３２が設けられていることで、最も上方にある孔２１からの空気の排出抵抗が最も大きくなり、次いで上から２番目の孔２１からの排出抵抗が大きくなり、上から下に向かって孔２１からの排出抵抗が小さくなる。このため、空気を吹き出す上部孔３ａと領域１４ａとが、空気を吸引する下部孔３ｂと領域１４ｂとが対向するようにダクトユニット３１０が仕切り壁３に取り付けられたときに、上部孔３ａに近い孔２１ほど排出抵抗が大きくなり、鉛直方向に関して、孔２１から吹き出す風圧がより一層均等になる。これは、上部孔３ａと近い孔２１ほど空気が優先的に排出されやすい場合に効果的であり、この場合においては整流板３３１，３３２を設けることで、上部孔３ａに最も近い孔２１及び２番目に近い孔２１からの排出抵抗が他の孔２１よりも大きくなって、空気が優先的に排出されにくくなる。こうして、これら６つの孔２１から吹き出す風圧を均圧化させている。
【００３１】
なお、先の変形例におけるように、下方にある孔２１から空気を排出する際の排出抵抗を増大させる場合は、整流板を下方の孔２１又は全部の孔２１に設け、下から上に行くほど整流板の開口率が大きくなるようにしてもよい。これにおいても先の変形例における効果を得ることができる。
【００３２】
以上、本発明の好適な実施の形態について説明したが、本発明は上述の実施の形態に限られるものではなく、特許請求の範囲に記載した限りにおいて様々な変更が可能なものである。例えば、偏向板１６ａ〜１６ｅは設けられていなくてもよい。また、偏向板は１〜３又は５以上設けられていてもよい。また、空調室８及びダクトユニット１０，２１０，３１０の幅が筐体２とほぼ同じであってもよい。また、ダクトユニット１０，２１０，３１０の幅は、空調室８よりも小さくても大きくてもよい。また、筐体２の壁に孔２ｂを設けなくてもよい。また、孔２１，２２は、板状部材１１に設けられていたが、環状突起１２の各端部に沿う部分に設けられていてもよい。また、環状突起１２が板状部材１１に形成されていなくてもよい。この場合、板状部材１１を仕切り壁と対向させつつ板状部材１１の外周端面全体を筐体と密着させて、当該板状部材１１を筐体に取り付ければよい。また、図１に示す環状突起１２のうち一部を板状部材１１に形成しなくてもよい。例えば、筐体２の左側壁と対向する部分であって鉛直方向に延在する突起部分だけを板状部材１１に形成しなくてもよい。この場合、板状部材１１の左端面と筐体２の左側壁とを密着させた状態でダクトユニットを筐体２に取り付ければよい。
【符号の説明】
【００３３】
１  環境試験装置
２  筐体
２ａ  空間
２ｂ  孔
３  仕切り壁
３ａ  上部孔
３ｂ  下部孔
５  試験室
８  空調室
１０，２１０，３１０  ダクトユニット
１１  板状部材
１１ａ  一方の面
１２  環状突起
１３ａ，２１３ａ  第１空間
１３ｂ，２１３ｂ  第２空間
１４ａ，２１４ａ  領域（第１領域）
１４ｂ，２１４ｂ  領域（第２領域）
１５，２１５  仕切り板
１６ａ〜１６ｅ  偏向板
２１  孔（第１貫通孔）
２２  孔（第２貫通孔）
３３１，３３２  整流板
３３１ａ，３３２ａ  孔
【図１】
2011145187.tif 000003
【図２】
2011145187.tif 000004
【図３】
2011145187.tif 000005
【図４】
2011145187.tif 000006
【図５】
2011145187.tif 000007